(57)【要約】【課題】居住者が住戸から外出するタイミングを検知する精度を向上させる技術を提供する。【解決手段】室内装置１６は、ドアホン１８に接続可能である。第１取得部５２は、第１センサ５０における検知がなされている場合に、第１検知信号を取得する。第２取得部５４は、ドアホン１８に設けられた第２センサ７４における検知がなされている場合に、第２検知信号を取得する。指示部５６は、第１取得部５２が第１検知信号を取得したことに続いて、第２取得部５４が第２検知信号を取得した場合に、防犯設定するかをドアホン１８から問い合わさせる。【選択図】図３
2016189575.tif 000002
【特許請求の範囲】
【請求項１】
ドアホンに接続可能な室内装置であって、
第１センサにおける検知がなされている場合に、第１検知信号を取得する第１取得部と、
前記ドアホンに設けられた第２センサにおける検知がなされている場合に、第２検知信号を取得する第２取得部と、
前記第１取得部が第１検知信号を取得したことに続いて、前記第２取得部が第２検知信号を取得した場合に、防犯設定するかを前記ドアホンから問い合わさせる指示部と、
を備えることを特徴とする室内装置。
【請求項２】
前記指示部は、前記第１取得部が第１検知信号を取得してから所定期間経過するまでに、前記第２取得部が第２検知信号を取得した場合に、防犯設定するかを前記ドアホンから問い合わさせることを特徴とする請求項１に記載の室内装置。
【請求項３】
前記指示部は、前記第１取得部が第１検知信号を取得している間に、前記第２取得部が第２検知信号を取得した場合に、問い合わせを非実行とすることを特徴とする請求項１または２に記載の室内装置。
【請求項４】
前記指示部は、前記第２取得部において第２検知信号を取得している期間がしきい値よりも短い場合に、問い合わせを非実行とすることを特徴とする請求項１または２に記載の室内装置。
【請求項５】
防犯設定するための指示を受けつける第１受付部と、
前記ドアホンに対してなされた防犯設定するための指示を受けつける第２受付部とをさらに備え、
前記第２受付部における指示の受付は、前記指示部による問い合わせがなされた後に有効になり、
前記第１受付部における指示の受付は、前記指示部による問い合わせがなされる前から有効であることを特徴とする請求項１から４のいずれか１項に記載の室内装置。
【請求項６】
ドアホンと、
前記ドアホンに接続可能な室内装置とを備え、
前記室内装置は、
第１センサにおける検知がなされている場合に、第１検知信号を取得する第１取得部と、
前記ドアホンに設けられた第２センサにおける検知がなされている場合に、第２検知信号を取得する第２取得部と、
前記第１取得部が第１検知信号を取得したことに続いて、前記第２取得部が第２検知信号を取得した場合に、防犯設定するかを前記ドアホンから問い合わさせる指示部と、
を備えることを特徴とする防犯システム。
【発明の詳細な説明】
【技術分野】
【０００１】
本発明は、防犯技術に関し、特に住戸に設置される室内装置、防犯システムに関する。
【背景技術】
【０００２】
住宅やビル等の建物に設置されて建物内への不審者の侵入を防止するセキュリティシステムでは、ビルに正規の利用者がいないときに警戒モードが設定され、この警戒モード時にビルへの侵入者を検知すると異常警報が発せられる。ここで、人為的操作なく自動で警戒モードの設定が可能な方が好ましい。そのため、住宅内の人を検知する人感センサからの情報に基づいて、住宅内の人の在・不在を判断し、不在であると判断された場合に、警戒モードがオンにされる（例えば、特許文献１参照）。
【先行技術文献】
【特許文献】
【０００３】
【特許文献１】特開２００６−８５３８４号公報
【発明の概要】
【発明が解決しようとする課題】
【０００４】
警戒モードは、居住者が住戸から外出するタイミングで設定されるべきである。そのため、居住者が住戸から外出するタイミングを検知する精度の向上が望まれる。
【０００５】
本発明はこうした状況に鑑みなされたものであり、その目的は、居住者が住戸から外出するタイミングを検知する精度を向上させる技術を提供することにある。
【課題を解決するための手段】
【０００６】
上記課題を解決するために、本発明のある態様の室内装置は、ドアホンに接続可能な室内装置であって、第１センサにおける検知がなされている場合に、第１検知信号を取得する第１取得部と、ドアホンに設けられた第２センサにおける検知がなされている場合に、第２検知信号を取得する第２取得部と、第１取得部が第１検知信号を取得したことに続いて、第２取得部が第２検知信号を取得した場合に、防犯設定するかをドアホンから問い合わさせる指示部と、を備える。
【０００７】
本発明の別の態様は、防犯システムである。この防犯システムは、ドアホンと、ドアホンに接続可能な室内装置とを備える。室内装置は、第１センサにおける検知がなされている場合に、第１検知信号を取得する第１取得部と、ドアホンに設けられた第２センサにおける検知がなされている場合に、第２検知信号を取得する第２取得部と、第１取得部が第１検知信号を取得したことに続いて、第２取得部が第２検知信号を取得した場合に、防犯設定するかをドアホンから問い合わさせる指示部と、を備える。
【０００８】
なお、以上の構成要素の任意の組合せ、本発明の表現を方法、装置、システム、記録媒体、コンピュータプログラムなどの間で変換したものもまた、本発明の態様として有効である。
【発明の効果】
【０００９】
本発明によれば、居住者が住戸から外出するタイミングを検知する精度を向上できる。
【図面の簡単な説明】
【００１０】
【図１】本発明の実施例に係るインターホンシステムの構成を示す図である。
【図２】図１の住宅における室内装置とドアホンの配置を示す図である。
【図３】図１の室内装置とドアホンの構成を示す図である。
【図４】図３の指示部において管理する状態遷移を示す図である。
【図５】図１のインターホンシステムにおける防犯設定手順を示すシーケンス図である。
【図６】図３の室内装置における防犯設定手順を示すフローチャートである。
【発明を実施するための形態】
【００１１】
本発明を具体的に説明する前に、概要を述べる。本発明の実施例は、マンション等の集合住宅に設置されるインターホンシステムに関するが、居住者が住戸から外出する際に防犯センサを設定する機能に関する。そのため、インターホンシステムの当該機能は、防犯システムに相当する。マンションの各住戸の玄関にはドアホンが設置され、室内には室内装置が設置されているとともに、これらは接続されている。住戸に訪問してきた来訪者は、ドアホンに設けられた呼出ボタンを押し下げることによって、住戸内の居住者を呼び出す。居住者は、室内装置を操作することによって、ドアホンを使用している来訪者と会話することが可能であり、その後、来訪者のために玄関のドアを開ける。
【００１２】
一方、住戸には、防犯センサが設置されている。居住者が留守の場合に窓が開かれると、防犯センサはこれを検知して室内装置に通知する。室内装置は、通知を受けると、警報を鳴らしたり、警備会社へ通報したりする。このような処理は、室内装置への防犯設定がなされている場合に実行される。室内装置への防犯設定は、室内装置に設けられた防犯設定ボタンが居住者によって押し下げられることによってなされる。しかしながら、居住者が外出の際に防犯設定ボタンを押し忘れた場合、防犯設定がなされない。そのため、防犯設定をすることを居住者が忘れないような仕組みが必要になってくる。
【００１３】
本実施例において、室内装置には人感センサ（以下、「第１センサ」という）が設けられるとともに、ドアホンにも人感センサ（以下、「第２センサ」という）が設けられる。室内装置は、第１センサにおける検知を受けつけた後に、第２センサにおける検知を受けつけた場合に、ドアホンから、防犯設定するかを居住者に問い合わせる。ここで、第１センサにおける検知を受けつけた後に、第２センサにおける検知を受けつける状態は、居住者が、室内装置の前からドアホンの前、つまり室内から玄関に移動した場合であり、これは、居住者が外出する場合に相当する。さらに、その場合に居住者は、玄関にいるので、ドアホンからの問い合わせを確認可能である。例えば、居住者が呼出ボタンを２度押し下げると、室内センサは防犯設定を実行する。
【００１４】
図１は、本発明の実施例に係るインターホンシステム１００の構成を示す。インターホンシステム１００は、ロビーインターホン１０、制御装置１２、室内装置１６と総称される第１室内装置１６ａ、第２室内装置１６ｂ、第３室内装置１６ｃ、第Ｎ室内装置１６ｎ、ドアホン１８と総称される第１ドアホン１８ａ、第２ドアホン１８ｂ、第３ドアホン１８ｃ、第Ｎドアホン１８ｎを含む。集合住宅内には、住戸１４と総称される第１住戸１４ａ、第２住戸１４ｂ、第３住戸１４ｃ、第Ｎ住戸１４ｎが含まれる。第１住戸１４ａには、第１室内装置１６ａ、第１ドアホン１８ａが設置され、第２住戸１４ｂには、第２室内装置１６ｂ、第２ドアホン１８ｂが設置され、第３住戸１４ｃには、第３室内装置１６ｃ、第３ドアホン１８ｃが設置され、第Ｎ住戸１４ｎには、第Ｎ室内装置１６ｎ、第Ｎドアホン１８ｎが設置される。
【００１５】
インターホンシステム１００は、例えば、集合住宅内に設置される。ここでは、インターホンシステム１００における処理のうち、呼出に関する処理をまず説明する。ロビーインターホン１０は、ロビーに設置されたインターホンである。ロビーインターホン１０に備えられたボタンは、来訪者が集合住宅内に入る際に押される。ロビーインターホン１０は、共用部幹線２４を介して制御装置１２に接続され、制御装置１２は、占有幹線２６を介して複数の室内装置１６のそれぞれに接続される。制御装置１２は、機械室や管理人室などの共用スペースに設置され、ロビーインターホン１０と室内装置１６との間の信号を中継する。共用部幹線２４、占有幹線２６は、ロビーインターホン１０からの呼出信号、室内装置１６からの応答信号等を伝送するための伝送路である。共用部幹線２４、占有幹線２６には、ロビーインターホン１０において撮影された来訪者の映像信号、ロビーインターホン１０と室内装置１６から出力される来訪者の音声信号、居住者の音声信号も伝送する。
【００１６】
室内装置１６は、住戸１４内に設置されており、住宅情報盤、住戸機、居室親機とも呼ばれる。また、室内装置１６には、住戸１４の玄関に設置されたドアホン１８が接続される。ドアホン１８は、ドアインターホン、居室子機とも呼ばれる。ドアホン１８には、呼出ボタンが設けられており、呼出ボタンが押し下げられると、呼出信号を室内装置１６に出力する。室内装置１６は、ドアホン１８からの呼出信号を入力すると、居住者の呼出を実行する。それに応じて、ドアホン１８と室内装置１６と通話が可能になる。また、ドアホン１８には撮像部が備えられており、撮像部は、呼出ボタンが押し下げられた場合に、来訪者を撮像する。撮像部において撮像された映像は、室内装置１６に備えられた表示部に表示される。そのため、居住者は、室内装置１６の表示部に表示された映像を見ることによって、来訪者を確認する。
【００１７】
このように説明した呼出に関する処理に加えて、ロビーインターホン１０、特に住戸１４に設置された室内装置１６とドアホン１８との組合せは、防犯設定に関する処理を実行する。以下では、図２、図３を使用しながら、防犯設定に関する処理を説明する。
【００１８】
図２は、住戸１４における室内装置１６とドアホン１８の配置を示す。住戸１４は、図１に示された１つの住戸１４に相当する。外部から住戸１４に侵入されうる部分が、玄関と、バルコニーである。ここでは、玄関に玄関ドア９０が設けられ、バルコニーに第１バルコニードア９２ａ、第２バルコニードア９２ｂが設けられる。玄関ドア９０の近傍には、前述のドアホン１８が設置され、室内には、前述の室内装置１６が設置されており、両者は接続されている。また、第１バルコニードア９２ａには、第１防犯センサ２０ａが設置され、第２バルコニードア９２ｂには、第２防犯センサ２０ｂが設置される。なお、第１バルコニードア９２ａ、第２バルコニードア９２ｂは、バルコニードア９２と総称され、第１防犯センサ２０ａ、第２防犯センサ２０ｂは、防犯センサ２０と総称される。
【００１９】
防犯センサ２０は、バルコニードア９２の開閉、特に閉じている状態から開くことを検知する。防犯センサ２０は、例えば、マグネットスイッチによって構成されている。マグネットスイッチには公知の技術が使用されればよいので、ここでは説明を省略する。なお、防犯センサ２０として、マグネットスイッチ以外の公知のセンサが使用されてもよい。防犯センサ２０は、バルコニードア９２が閉じている状態から開くことを検知した場合に、図示しない信号線を介してその旨を室内装置１６に通知する。室内装置１６に防犯設定がなされている場合、室内装置１６は、防犯センサ２０からの通知を受けつけると、警報を鳴らしたり、警備会社へ通報したりする。
【００２０】
図３は、室内装置１６とドアホン１８の構成を示す。室内装置１６は、処理部３０、通信部３２、制御部３４、操作部３６、第１センサ５０、防犯設定ボタン５８を含み、処理部３０は、ＩＦ部３８、表示部４２、マイク４４、スピーカ４６を含む。ドアホン１８は、処理部７０、呼出ボタン７２、第２センサ７４を含み、処理部７０は、ＩＦ部７６、撮像部７８、マイク８０、スピーカ８２を含む。室内装置１６には、防犯センサ２０と総称される第１防犯センサ２０ａ、第２防犯センサ２０ｂが接続される。
【００２１】
ドアホン１８の呼出ボタン７２は、来訪者の操作を受けつけるためのユーザインタフェースである。呼出ボタン７２が来訪者によって押し下げられると、呼出ボタン７２は、呼出信号を室内装置１６に送信する。また、呼出ボタン７２が来訪者によって押し下げられると、処理部７０が動作する。
【００２２】
撮像部７８は、来訪者を撮影するためのものであり、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサ、ＣＣＤ（Ｃｈａｒｇｅ  Ｃｏｕｐｌｅｄ  Ｄｅｖｉｃｅ）イメージセンサ等の固体撮像素子を備える。当該固体撮像素子は光電変換した映像信号をＩＦ部７６に出力する。ＩＦ部７６は、撮像部７８からの映像信号に対して種々の信号処理を実行する。種々の信号処理は、例えば、映像信号の露出を制御する露出制御処理、映像信号の色バランスを制御する色バランス制御処理、映像信号の階調特性を制御する階調特性制御処理、映像信号の輪郭強調度合いを制御する輪郭強調制御処理を含む。ＩＦ部７６は、信号処理を実行した映像信号（以下、これもまた「映像信号」という）を室内装置１６に送信する。
【００２３】
マイク８０とスピーカ８２は、来訪者が居住者と通話するためのユーザインタフェースである。マイク８０は来訪者の声を集音し、電気信号に変換してＩＦ部７６に出力する。スピーカ８２は、ＩＦ部７６からの電気信号を再生して音声出力する。ＩＦ部７６は、マイク８０からの電気信号を受けつけ、これを室内装置１６に伝送するための形式の信号（以下、「音声信号」という）に変換する。ＩＦ部７６は、音声信号を室内装置１６に送信する。一方、ＩＦ部７６は、室内装置１６から、室内装置１６において生成された音声信号を受信し、これを電気信号に変換する。ＩＦ部７６は、電気信号をスピーカ８２に出力する。
【００２４】
室内装置１６の通信部３２は、ドアホン１８との通信を実行するとともに、占有幹線２６を介して図示しないロビーインターホン１０との通信も実行する。通信部３２は、ドアホン１８からの呼出信号、あるいはロビーインターホン１０からの呼出信号を受信する。通信部３２は、受信した呼出信号を制御部３４に出力する。制御部３４は、呼出信号を受信すると、居住者の呼出を実行するとともに、処理部３０を動作させる。
【００２５】
通信部３２は、ドアホン１８からの映像信号、あるいはロビーインターホン１０からの映像信号を受信し、映像信号をＩＦ部３８に出力する。また、通信部３２は、ドアホン１８からの音声信号、あるいはロビーインターホン１０からの音声信号を受信し、音声信号をＩＦ部３８に出力する。さらに、通信部３２は、ＩＦ部３８からの音声信号を入力し、音声信号をドアホン１８あるいはロビーインターホン１０に送信する。
【００２６】
ＩＦ部３８、マイク４４、スピーカ４６は、ＩＦ部７６、マイク８０、スピーカ８２と同様の処理を実行する。表示部４２は、ＩＦ部３８からの映像信号を入力し、映像信号を映像として表示する。そのため、表示部４２は、撮像部７８において撮像された映像を表示可能である。
【００２７】
操作部３６は、制御部３４による呼出がなされた後、居住者が応答する際に押し下げられるボタンである。操作部３６は、ロビーの鍵を解錠するための解錠ボタンであってもよい。操作部３６が押し下げられると、制御部３４は、通信部３２、占有幹線２６を介して解錠信号を送信する。以上が、室内装置１６とドアホン１８による来訪者の訪問時、つまり呼出に関する処理である。さらに、室内装置１６とドアホン１８による防犯設定に関する処理を説明する。ここでは、防犯設定に関する処理として、（１）防犯設定の問い合わせ処理、（２）防犯設定処理、（３）防犯処理の順に説明する。
【００２８】
（１）防犯設定の問い合わせ処理
室内装置１６の第１センサ５０は、人感センサであり、例えば、赤外線が使用される。なお、赤外線以外であっても、超音波、可視光など、あるいはそれらの組合せが使用されてもよい。人感センサについては公知の技術が使用されればよいので、ここでは説明を省略する。第１センサ５０は、室内装置１６に設けられているので、図２のごとく、住戸１４の室内における人の所在を検知する。第１センサ５０は、人の所在を検知している間にわたって、第１検知信号を制御部３４に出力する。
【００２９】
第１取得部５２は、第１センサ５０に接続され、第１センサ５０における検知がなされている場合に、第１検知信号を取得する。一方、第１取得部５２は、第１センサ５０における検知がなされていない場合に、第１検知信号を取得しない。第１取得部５２は、第１検知信号を取得すると、指示部５６に第１検知信号を出力する。あるいは、第１取得部５２は、指示部５６に対して、第１検知信号の取得を通知してもよい。
【００３０】
ドアホン１８の第２センサ７４は、第１センサ５０と同様に構成される。第２センサ７４は、ドアホン１８に設けられているので、図２のごとく、住戸１４の玄関における人の所在を検知する。第２センサ７４は、人の所在を検知している間にわたって、第２検知信号を室内装置１６の通信部３２に送信する。通信部３２は、第２センサ７４からの第２検知信号を受信すると、第２検知信号を制御部３４に出力する。
【００３１】
室内装置１６の第２取得部５４は、通信部３２を介して第２センサ７４に接続されており、第２センサ７４における検知がなされている場合に、第２検知信号を取得する。一方、第２取得部５４は、第２センサ７４における検知がなされていない場合に、第２検知信号を取得しない。第２取得部５４は、第２検知信号を取得すると、指示部５６に第２検知信号を出力する。あるいは、第２取得部５４は、指示部５６に対して、第２検知信号の取得を通知してもよい。
【００３２】
指示部５６は、第１取得部５２からの第１検知信号を入力可能であるとともに、第２取得部５４からの第２検知信号も入力可能である。指示部５６は、第１取得部５２からの第１検知信号を入力してから第１検知信号の入力を完了した後に、第２取得部５４からの第２検知信号を入力すると、防犯設定するかを居住者に問い合わせるための問合信号を通信部３２経由でドアホン１８に出力する。これは、第１取得部５２が第１検知信号を取得したことに続いて、第２取得部５４が第２検知信号を取得した場合に、防犯設定するかをドアホン１８から問い合わさせることに相当する。以下では、指示部５６における処理をさらに詳細に説明する。
【００３３】
指示部５６は、第１検知信号の入力状況に応じて、状態を管理する。図４は、指示部５６において管理する状態遷移を示す。図示のごとく、状態として「アイドル」、「検知中」、「検知後」が規定される。「アイドル」は、第１検知信号が入力されていない状態である。「アイドル」において、指示部５６に第１検知信号が入力されると、つまり「室内に人を検知する」と、「アイドル」から「検知中」に状態が遷移する。「検知中」において、指示部５６に第１検知信号が入力され続けていると、「検知中」が維持される。指示部５６に第１検知信号が入力され続けていることは、「室内に人を検知」し続けていることに相当する。
【００３４】
「検知中」において、指示部５６に第１検知信号が入力されなくなると、つまり「室内の人の検知がなし」になると、「検知中」から「検知後」に状態が遷移する。「検知後」において、指示部５６に第１検知信号が入力されると、つまり「室内に人を検知する」と、「検知後」から「検知中」に状態が遷移する。一方、「検知後」において、指示部５６に第１検知信号が入力されないまま所定期間が経過すると、「検知後」から「アイドル」に状態が遷移する。ここで、所定期間は、例えば、１０分のように規定される。
【００３５】
指示部５６は、このような状態遷移において、状態が「検知後」である場合に、第２取得部５４からの第２検知信号を入力すると、問合信号の出力を決定する。つまり、指示部５６は、第１取得部５２が第１検知信号を取得してから所定期間経過するまで、つまり「検知後」の間に、第２取得部５４が第２検知信号を取得した場合に、防犯設定するかをドアホン１８から問い合わさせる。そのため、指示部５６は、第１取得部５２が第１検知信号を取得している間、つまり「検知中」の間に、第２取得部５４が第２検知信号を取得した場合に、問い合わせを非実行とする。なお、指示部５６は、第２取得部５４において第２検知信号を取得している期間がしきい値よりも短い場合に、問い合わせを非実行とする。しきい値は、例えば、１秒とされる。図３に戻る。
【００３６】
通信部３２は、指示部５６からの問合信号を入力すると、問合信号をドアホン１８に送信する。ドアホン１８のＩＦ部７６は、通信部３２からの問合信号を入力すると、問合信号に対応した音声をスピーカ８２から出力させる。問合信号に対応した音声は、例えば、「防犯設定しますか。設定する場合は呼出ボタンを２回押してください。」のようなメッセージである。なお、ドアホン１８に、ＬＥＤ（Ｌｉｇｈｔ  Ｅｍｉｔｔｉｎｇ  Ｄｉｏｄｅ）等によって構成された通知部が備えられる場合、ＩＦ部７６は、問合信号に応じて通知部を点灯あるいは点滅させてもよい。
【００３７】
（２）防犯設定処理
ドアホン１８からの問い合わせに対応して、居住者が呼出ボタン７２を２度押し下げた場合、呼出ボタン７２は、前述の呼出信号の代わりに設定信号を室内装置１６に送信する。なお、ドアホン１８が問い合わせをしてから呼出ボタン７２が２度押し下げられるまでの期間には制限が設けられており、制限を超えて、呼出ボタン７２が２度押し下げられた場合、呼出ボタン７２は、設定信号を出力しない。室内装置１６の通信部３２は、呼出ボタン７２からの設定信号を受信すると、設定信号を制御部３４に出力する。
【００３８】
第２受付部６２は、指示部５６から、問合信号を出力したことに関する通知を受けつける。第２受付部６２は、通知を受けつけてから一定期間の間に、通信部３２から設定信号を受けつけると、防犯処理部６４に対して防犯設定を実行させる。このように、第２受付部６２における設定信号の受付は、指示部５６による問い合わせがなされた後に有効になる。第２受付部６２は、通知を受けつけてから一定期間以外のタイミングに設定信号を受けつけても、設定信号を無効にする。設定信号を受けつけることは、ドアホン１８に対してなされた防犯設定するための指示を受けつけることに相当する。
【００３９】
防犯設定ボタン５８は、防犯設定の操作を受けつけるためのユーザインタフェースである。防犯設定ボタン５８が居住者によって押し下げられると、防犯設定ボタン５８は、設定信号を制御部３４に出力する。ここで、居住者による防犯設定ボタン５８の押下げは、指示部５６による問い合わせとは無関係になされる。
【００４０】
第１受付部６０は、防犯設定ボタン５８からの設定信号を受けつける。設定信号の受付は、防犯設定するための指示を受けつけることに相当する。なお、第１受付部６０における設定信号の受付は、指示部５６による問い合わせがなされる前から有効である。第１受付部６０は、設定信号を受けつけると、防犯処理部６４に対して防犯設定を実行させる。
【００４１】
（３）防犯処理
防犯処理部６４は、第１受付部６０あるいは第２受付部６２によって防犯設定がなされると防犯処理を実行する。防犯処理を実行している場合、防犯処理部６４は、防犯センサ２０からの通知の入力を監視する。防犯センサ２０からの通知を入力すると、防犯処理部６４は、処理部３０に対して警報を鳴らすように指示する。また、防犯処理部６４は、図示しない通信回線を介して、警備会社への通報を実行してもよい。
【００４２】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ハードウエアとソフトウエアの組合せによっていろいろな形で実現できることは、当業者には理解されるところである。
【００４３】
以上の構成によるインターホンシステム１００の動作を説明する。図５は、インターホンシステム１００における防犯設定手順を示すシーケンス図である。室内装置１６が人を検知し（Ｓ１０）、ドアホン１８も人を検知する（Ｓ１２）。ドアホン１８は、室内装置１６に検知信号を送信する（Ｓ１４）。室内装置１６は、ドアホン１８に問合信号を送信する（Ｓ１６）。ドアホン１８は、居住者への問い合わせを実行する（Ｓ１８）。ドアホン１８の呼出ボタン７２が２度押し下げられると（Ｓ２０）、ドアホン１８は、設定信号を室内装置１６に送信する（Ｓ２２）。室内装置１６は、防犯設定を実行する（Ｓ２４）。
【００４４】
図６は、室内装置１６における防犯設定手順を示すフローチャートである。第２センサ７４で検知がなされる（Ｓ５０）。第１センサ５０において、状態が「検知後」であれば（Ｓ５２のＹ）、指示部５６は、居住者への問い合わせを実行する（Ｓ５４）。第２受付部６２が設定信号を受けつけなく（Ｓ５６のＮ）、時限終了でなければ（Ｓ５８のＮ）、ステップ５６に戻る。時限終了であれば（Ｓ５８のＹ）、処理が終了される。第２受付部６２が設定信号を受けつければ（Ｓ５６のＹ）、防犯処理部６４に防犯設定がなされる（Ｓ６０）。一方、第１センサ５０において、状態が「検知後」でなければ（Ｓ５２のＮ）、処理が終了される。
【００４５】
本発明の実施例によれば、第１センサによって室内の人が検知されたことに続いて、第２センサによって玄関の人が検知された場合を居住者が住戸から外出するタイミングとするので、居住者が住戸から外出するタイミングを検知する精度を向上できる。また、居住者が住戸から外出するタイミングを検知した場合に、防犯設定するかをドアホンから問い合わさせるので、外出しようとする居住者に防犯設定を促すことができる。また、防犯設定が促されるので、防犯設定を実行されやすくできる。また、防犯設定が実行されやすくなるので、安全性を向上できる。また、防犯設定は居住者によってなされるので、誤って設定されるおそれを低減できる。
【００４６】
また、第１検知信号を取得してから所定期間経過するまでに第２検知信号を取得した場合に、問い合わせを実行するので、居住者による住居内の移動時間を考慮できる。また、第１検知信号を取得してから所定期間経過して、第２検知信号を取得しても、問い合わせを実行しないので、居住者が住戸から外出するタイミングが誤って検知されるおそれを低減できる。
【００４７】
また、第１検知信号を取得している間に、第２検知信号を取得した場合に、問い合わせを非実行とするので、外出とは関係のない人を第２センサが検知しても、居住者が住戸から外出するタイミングとすることを回避できる。また、第２検知信号を取得している期間がしきい値よりも短い場合に、問い合わせを非実行とするので、外出とは関係のない人を第２センサが検知しても、居住者が住戸から外出するタイミングとすることを回避できる。また、問い合わせに対してドアホンを操作した場合、あるいは室内装置を操作した場合に、防犯設定を有効にするので、防犯設定を有効にするためのさまざまな操作を提供できる。
【００４８】
本発明の一態様の概要は、次の通りである。本発明のある態様の室内装置１６は、ドアホン１８に接続可能な室内装置１６であって、第１センサ５０における検知がなされている場合に、第１検知信号を取得する第１取得部５２と、ドアホン１８に設けられた第２センサ７４における検知がなされている場合に、第２検知信号を取得する第２取得部５４と、第１取得部５２が第１検知信号を取得したことに続いて、第２取得部５４が第２検知信号を取得した場合に、防犯設定するかをドアホン１８から問い合わさせる指示部５６と、を備える。
【００４９】
指示部５６は、第１取得部５２が第１検知信号を取得してから所定期間経過するまでに、第２取得部５４が第２検知信号を取得した場合に、防犯設定するかをドアホン１８から問い合わさせてもよい。
【００５０】
指示部５６は、第１取得部５２が第１検知信号を取得している間に、第２取得部５４が第２検知信号を取得した場合に、問い合わせを非実行としてもよい。
【００５１】
指示部５６は、第２取得部５４において第２検知信号を取得している期間がしきい値よりも短い場合に、問い合わせを非実行としてもよい。
【００５２】
防犯設定するための指示を受けつける第１受付部６０と、ドアホン１８に対してなされた防犯設定するための指示を受けつける第２受付部６２とをさらに備えてもよい。第２受付部６２における指示の受付は、指示部５６による問い合わせがなされた後に有効になり、第１受付部６０における指示の受付は、指示部５６による問い合わせがなされる前から有効であってもよい。
【００５３】
本発明の別の態様は、インターホンシステム１００である。このインターホンシステム１００は、ドアホン１８と、ドアホン１８に接続可能な室内装置１６とを備える。室内装置１６は、第１センサ５０における検知がなされている場合に、第１検知信号を取得する第１取得部５２と、ドアホン１８に設けられた第２センサ７４における検知がなされている場合に、第２検知信号を取得する第２取得部５４と、第１取得部５２が第１検知信号を取得したことに続いて、第２取得部５４が第２検知信号を取得した場合に、防犯設定するかをドアホン１８から問い合わさせる指示部５６と、を備える。
【００５４】
以上、本発明を実施例をもとに説明した。この実施例は例示であり、それらの各構成要素あるいは各処理プロセスの組合せにいろいろな変形例が可能なこと、またそうした変形例も本発明の範囲にあることは当業者に理解されるところである。
【００５５】
本実施例において、インターホンシステム１００はマンション等の集合住宅に設置されている。しかしながらこれに限らず例えば、インターホンシステム１００は、戸建て住宅に設置されてもよい。また、インターホンシステム１００は、オフィスや工場等に設置されてもよい。本変形例によれば、本実施例の適用範囲を拡大できる。
【００５６】
本実施例において、図２の住戸１４のＬＤ付近に室内装置１６が設置されており、室内装置１６に第１センサ５０が備えられている。しかしながらこれに限らず例えば、室内装置１６と第１センサ５０の形態はこれ以外であってもよい。室内装置１６の設置位置は、住戸１４の中のＬＤ以外の部屋であってもよい。また、第１センサ５０は、室内装置１６に備えられず、室内装置１６とは別に構成されながら、室内装置１６に接続されてもよい。その場合、ＬＤ付近に室内装置１６が設置され、ＬＤ以外の部屋に第１センサ５０が設置されてもよい。さらに、住戸１４に複数の第１センサ５０が設置され、それぞれが室内装置１６に接続されてもよい。本変形によれば、住戸１４の間取りによらず、居住者が外出の際に通過する経路に第１センサ５０を設置できる。
【符号の説明】
【００５７】
１０  ロビーインターホン、  １２  制御装置、  １４  住戸、  １６  室内装置、  １８  ドアホン、  ２０  防犯センサ、  ２４  共用部幹線、  ２６  占有幹線、  ３０  処理部、  ３２  通信部、  ３４  制御部、  ３６  操作部、  ３８  ＩＦ部、  ４２  表示部、  ４４  マイク、  ４６  スピーカ、  ５０  第１センサ、  ５２  第１取得部、  ５４  第２取得部、  ５６  指示部、  ５８  防犯設定ボタン、  ６０  第１受付部、  ６２  第２受付部、  ６４  防犯処理部、  ７０  処理部、  ７２  呼出ボタン、  ７４  第２センサ、  ７６  ＩＦ部、  ７８  撮像部、  ８０  マイク、  ８２  スピーカ、  １００  インターホンシステム（防犯システム）。
【図１】
2016189575.tif 000003
【図２】
2016189575.tif 000004
【図３】
2016189575.tif 000005
【図４】
2016189575.tif 000006
【図５】
2016189575.tif 000007
【図６】
2016189575.tif 000008